(57)【要約】【課題】画面に対する直感的で簡便な操作で、トラックの表示幅を調整して詳細なデータを見ることができ、他トラックの進行状態を同じ時間軸で見ることができるシステム。【解決手段】この音楽データ表示システムでは、音楽データを構成する複数のトラック情報に対応した複数のトラックから成るトラック画面ＴＳを多点タッチパネルＴＰ上に表示し、トラック画面ＴＳ上で或るトラックＴｒｋ１が制御対象に指示され２本の指を開く開放操作が行われると、対象トラックＴｒｋ１の表示領域を縦軸方向に増大し、対象トラックＴｒｋ１に表示される音楽データの表示形態を増大後の表示領域幅Ｗに合うように制御し、所定幅サイズの詳細表示データＤｔ１とする（〔１〕ａ→ｂ→ｃ，ｄ）。閉塞操作の場合、対象トラックの表示領域幅を減少し、表示形態を減少後の領域幅Ｗに合うように制御する（ｃ→ｅ→ａ）。連続する複数トラックについても同様に制御することができる。【選択図】図３
2010066532.tif 000002
【特許請求の範囲】
【請求項１】
所定の表示幅をもって音楽の進行に対応する所定の方向に延びるトラックを備え、音楽データに含まれるトラック情報の要素データを表わす表示要素が該トラックに配置されたトラック画面を多点タッチパネル上に表示する画面表示手段と、
画面表示手段により表示されるトラック画面に対して複数点を同時にタッチし移動させる操作に応じて、対応する入力情報を受け付ける入力受付け手段と、
入力受付け手段により受け付けられた入力情報が表わす操作点の位置に基づいて、制御すべきトラックを指定するトラック指定手段と、
入力受付け手段により受け付けられた入力情報が表わす操作点の移動方向及び移動量に基づいて、制御すべきトラックの表示幅を算出する表示幅算出手段と、
画面表示手段により表示されるトラック画面について、トラック指定手段により指定されたトラックを、表示幅算出手段により算出された表示幅で表示すると共に、当該トラックに配置される表示要素を当該表示幅に応じた表示形態で表示するように画面表示手段を制御する表示制御手段と
を具備することを特徴とする音楽データ表示装置。
【請求項２】
前記トラック表示制御手段は、前記表示幅算出手段により算出された表示幅に応じて、前記トラック指定手段により指定されたトラックにおける表示要素の表示形態を、要素データの存在を表わす矩形表示にするか、要素データの内容を表わす詳細表示にするかを決定することを特徴とする請求項１に記載の音楽データ表示装置。
【請求項３】
前記トラック指定手段は、入力受付け手段により受け付けられた入力情報が表わす操作点の位置が複数のトラックに対応している場合は、これらトラックを両端に含む連続する複数のトラックを指定し、
前記表示幅算出手段は、指定された複数のトラックそれぞれについて表示幅を算出する
ことを特徴とする請求項１又は２に記載の音楽データ表示装置。
【請求項４】
所定の表示幅をもって音楽の進行に対応する所定の方向に延びるトラックを備え、音楽データに含まれるトラック情報の要素データを表わす表示要素が該トラックに配置されたトラック画面を多点タッチパネル上に表示する画面表示手段を具備し、音楽データ表示装置として機能するコンピュータに、
画面表示手段により表示されるトラック画面に対して複数点を同時にタッチし移動させる操作に応じて、対応する入力情報を受け付ける入力受付けステップと、
入力受付けステップで受け付けられた入力情報が表わす操作点の位置に基づいて、制御すべきトラックを指定するトラック指定ステップと、
入力受付けステップで受け付けられた入力情報が表わす操作点の移動方向及び移動量に基づいて、制御すべきトラックの表示幅を算出する表示幅算出ステップと、
画面表示手段により表示されるトラック画面について、トラック指定ステップで指定されたトラックを、表示幅算出ステップで算出された表示幅で表示すると共に、当該トラックに配置される表示要素を当該表示幅に応じた表示形態で表示するように画面表示手段を制御する表示制御ステップと
から成る手順を実行させる音楽データ表示プログラム。
【発明の詳細な説明】
【技術分野】
【０００１】
この発明は、音楽データのトラック情報をトラック画面に表示する音楽データ表示システムに関する。
【背景技術】
【０００２】
従来より、ミキサやシーケンサ、電子楽器などの電子音楽装置では、音楽データの各トラック音楽情報の内容を確認したり編集する際に、トラック情報をトラック画面に表示することが行われている。例えば、特許文献１のマルチトラック・ディジタル録音再生装置では、各トラックの録音済み範囲を示す時間に沿ったバーグラフ的な表示を行っており、画面に複数表示されているトラックの何れかを選択して所定の操作を行うと、選択されたトラックについてウェーブ表示画面がポップアップ表示される。
【特許文献１】特開２００２−５０１６１号公報
【０００３】
また、特許文献２の自動演奏データの表示・編集装置では、１曲分がトラック（或いはパート）単位に分けられ、各トラックに音符イベントやプログラムチェンジなどの各種制御イベントが発生時間順に並んだ自動演奏データを編集する際に、１曲分の自動演奏データ中の複数トラックのイベントデータを混在させて、リスト形式或いはピアノロール形式などで全て表示させている。
【特許文献２】特開平１０−１１６０７２号公報
【０００４】
さらに、特許文献３の楽曲データ表示装置では、複数種類の制御イベントを含むマスタートラックと演奏イベントを含む複数のトラックデータで構成されたＳＭＦ形式の楽曲データを画面に表示する際に、各トラックデータが時間軸に沿って矩形表示されると共に、マスタートラック表示領域には、表示フィルターでオンに設定された種類の制御イベントが表示される。
【特許文献３】特開２００３−８４７６２号公報
【０００５】
しかしながら、従来技術、例えば、特許文献１の録音再生装置では、トラック画面に表示された任意のトラックに対して詳細なデータを見たい場合、トラックを指定したり見たい項目を設定する等の操作を行わなければならず、その操作により画面自体がデータの詳細画面などに切り替わってしまったり、別の画面がポップアップ表示されるため、元のトラック画面全体を同時には見ることができなくなる。また、特許文献２の表示・編集装置のように、マウスの使用ができない場合、例えば、画面近くに配置されている矢印スイッチなどでトラックを指定する操作は大変であり、マウスを使用することができる場合であっても、任意のトラックの詳細なデータを見るためには複数の連続した操作が必要になり煩雑である。さらに、特許文献３の楽曲データ表示装置では、表示フィルターの設定作業により１つのトラック（マスタートラック）内のイベントを種類別に表示するため表示段を増やす形で表示領域を縦軸方向に増大させることができるが、各段の表示はユーザにとって必ずしも見やすいとは限らない。例えば、段によっては、縦軸方向の表示幅がもう少し広い方が見やすいこともあり得る。
【発明の開示】
【発明が解決しようとする課題】
【０００６】
この発明は、このような事情に鑑み、時間軸に沿って進行する音楽データのトラック情報を表示するトラック画面に対する直感的で簡便な操作により、トラックの表示幅を調整して詳細なデータを見ることができ、しかも、同時に、他のトラックの音楽進行状態を同じ時間軸で見ることができる音楽データ表示システムを提供することを目的とする。
【課題を解決するための手段】
【０００７】
この発明の主たる特徴に従うと、所定の表示幅（Ｗ：Ｗｏ，Ｗｂ，…；縦軸方向の大きさ）をもって音楽の進行に対応する所定の方向（横軸方向）に延びるトラック（Ｔｒｋ：Ｔｒｋ１，Ｔｒｋ２，…）を備え、音楽データに含まれるトラック情報の要素データを表わす表示要素（Ｂｋ：Ｂｋ１，Ｂｋ５，…／Ｄｔ：Ｄｔ１，Ｄｔ５，…）が該トラックに配置されたトラック画面（ＴＳ）を多点タッチパネル（ＴＰ）上に表示する画面表示手段（６；Ｓ１）と、画面表示手段により表示されるトラック画面（ＴＳ）に対して複数点を同時にタッチし移動させる操作（開放操作、閉塞操作）に応じて、対応する入力情報を受け付ける入力受付け手段（５：Ｓ２）と、入力受付け手段により受け付けられた入力情報が表わす操作点の位置に基づいて、制御すべきトラックを指定するトラック指定手段（Ｓ３〜Ｓ７）と、入力受付け手段により受け付けられた入力情報が表わす操作点の移動方向及び移動量に基づいて、制御すべきトラックの表示幅を算出する表示幅算出手段（Ｓ８〜Ｓ９）と、画面表示手段により表示されるトラック画面（ＴＳ）について、トラック指定手段により指定されたトラックを、表示幅算出手段により算出された表示幅（Ｗ）で表示すると共に、当該トラックに配置される表示要素を当該表示幅（Ｗ）に応じた表示形態（Ｂｋ／Ｄｔ）で表示するように画面表示手段（６）を制御する表示制御手段（Ｓ１０〜Ｓ１３，Ａ１〜Ａ３，Ｂ１〜Ｂ５）とを具備する音楽データ表示装置〔請求項１〕、並びに、所定の表示幅（Ｗ：Ｗｏ，Ｗｂ，…；縦軸方向の大きさ）をもって音楽の進行に対応する所定の方向（横軸方向）に延びるトラック（Ｔｒｋ：Ｔｒｋ１，Ｔｒｋ２，…）を備え、音楽データに含まれるトラック情報の要素データを表わす表示要素（Ｂｋ：Ｂｋ１，Ｂｋ５，…／Ｄｔ：Ｄｔ１，Ｄｔ５，…）が該トラックに配置されたトラック画面（ＴＳ）を多点タッチパネル（ＴＰ）上に表示する画面表示手段（６；Ｓ１）を具備し、音楽データ表示装置として機能するコンピュータに、画面表示手段により表示されるトラック画面（ＴＳ）に対して複数点を同時にタッチし移動させる操作（開放操作、閉塞操作）に応じて、対応する入力情報を受け付ける入力受付けステップ（Ｓ２）と、入力受付けステップで受け付けられた入力情報が表わす操作点の位置に基づいて、制御すべきトラックを指定するトラック指定ステップ（Ｓ３〜Ｓ７）と、入力受付けステップで受け付けられた入力情報が表わす操作点の移動方向及び移動量に基づいて、制御すべきトラックの表示幅を算出する表示幅算出ステップ（Ｓ８〜Ｓ９）と、画面表示手段により表示されるトラック画面（ＴＳ）について、トラック指定ステップで指定されたトラックを、表示幅算出ステップで算出された表示幅（Ｗ）で表示すると共に、当該トラックに配置される表示要素を当該表示幅（Ｗ）に応じた表示形態（Ｂｋ／Ｄｔ）で表示するように画面表示手段（６）を制御する表示制御ステップ（Ｓ１０〜Ｓ１３，Ａ１〜Ａ３，Ｂ１〜Ｂ５）とから成る手順を実行させる音楽データ表示プログラム〔請求項４〕が提供される。なお、括弧書きは、理解の便のために付記した実施例の参照記号や用語、箇所等であり、以下においても同様である。
【０００８】
この発明による音楽データ表示装置において、トラック表示制御手段（Ｓ１０〜Ｓ１３，Ａ１〜Ａ３，Ｂ１〜Ｂ５）は、表示幅算出手段（Ｓ８〜Ｓ９）により算出された表示幅（Ｗ）に応じて、トラック指定手段（Ｓ３〜Ｓ７）により指定されたトラックにおける表示要素の表示形態（Ｂｋ／Ｄｔ）を、要素データの存在を表わす矩形表示（Ｂｋ：Ｂｋ１，Ｂｋ５，…）にするか（Ｂ２，Ｂ５）、要素データの内容を表わす詳細表示（Ｄｔ：Ｄｔ１，Ｄｔ５，…）にするか（Ａ２，Ａ３，Ｂ４）を決定する〔請求項２〕ように構成することができる。
【０００９】
また、この発明による音楽データ表示装置において、トラック指定手段（Ｓ３〜Ｓ７）は、入力受付け手段（Ｓ２）により受け付けられた入力情報が表わす操作点の位置が複数のトラック（例えば、Ｔｒｋ１，Ｔｒｋ４：図３〔２〕）に対応している場合は（Ｓ５＝ＮＯ）、これらトラック（Ｔｒｋ１，Ｔｒｋ４）を両端に含む連続する複数のトラック（Ｔｒｋ１〜Ｔｒｋ４）を指定し（Ｓ７）、表示幅算出手段（Ｓ８〜Ｓ９）は、指定された複数のトラック（Ｔｒｋ１〜Ｔｒｋ４）それぞれについて表示幅（Ｗ）を算出する（Ｓ９）〔請求項３〕ように構成することができる。
【発明の効果】
【００１０】
この発明の主たる特徴による音楽データ表示システムにおいては（請求項１，４）、画面表示手段（６）によって、複数のトラック（Ｔｒｋ１，Ｔｒｋ２，…）から成るトラック画面（ＴＳ）が多点タッチパネル（ＴＰ）上に表示され、各トラックは、所定の表示幅（Ｗ：Ｗｏ，Ｗｂ，…；縦軸方向の大きさ）をもって音楽の進行に対応する所定の方向（横軸方向）に延びており、対応する音楽データのトラック情報を構成する要素データを表わす表示要素（Ｂｋ：Ｂｋ１，Ｂｋ５，…／Ｄｔ：Ｄｔ１，Ｄｔ５，…）が配置される。このトラック画面（ＴＳ）に対して、複数点を同時にタッチし移動させるユーザ操作（開放操作、閉塞操作）があり、これに応じて、操作内容に対応する入力情報を受け付けられると（Ｓ２）、受け付けられた入力情報に基づいて、制御すべきトラックが指定され（Ｓ３〜Ｓ７）、指定されたトラックの表示幅が算出される（Ｓ８〜Ｓ９）。そして、トラック画面（ＴＳ）に対し、指定されたトラックを、算出された表示幅（Ｗ）で表示する（Ｓ１０）と共に、指定されたトラックに配置される表示要素を当該表示幅（Ｗ）に応じた表示形態（Ｂｋ／Ｄｔ）で表示する（Ｓ１１〜Ｓ１３；Ａ１〜Ａ３，Ｂ１〜Ｂ５）ように、画面表示手段（６）が制御される。
【００１１】
つまり、多点タッチパネル（ＴＰ）上に表示されたトラック画面（ＴＳ）上において、或るトラック（例えば、Ｔｒｋ１：図３〔１〕）に対し２本の指を開く操作を行うと、当該トラック（Ｔｒｋ１）の表示領域（エリア）が音楽進行方向（横軸方向）に垂直な幅方向（縦軸方向）に増大し、増大した表示領域に合わせて、当該トラック（Ｔｒｋ１）に対応する音楽データを表示する。逆に、或るトラック（Ｔｒｋ１）に対し２本の指を閉じる操作を行うと、当該トラック（Ｔｒｋ１）の表示領域が幅方向に減少し、狭くなった表示領域に合わせて当該トラック（Ｔｒｋ１）における音楽データの表示を更新する。従って、この発明によれば、このように、時間軸に沿って進行する音楽データのトラック情報を多点タッチパネル上に表示するトラック画面に対して、２本の指を開閉するだけの直感的で簡便な操作をすることにより、簡単に、任意のトラックの表示幅を調整して詳細なデータを表示することができる。また、或るトラックの表示領域を縦軸方向に拡げて詳細なデータを見たりその後元のサイズに戻すことができるだけでなく、同時に、他のトラックについて、データの有無などの音楽進行に沿った概略的な状態を同じ時間軸で見ることができる。さらに、トラック表示領域を縦軸方向にもっと拡げたい場合には２本の指で開く操作を繰り返せばよいので、ユーザにとって適切な表示を簡単に得ることができる。
【００１２】
また、この発明による音楽データ表示装置では（請求項２）、算出された表示幅（Ｗ）に応じて、指定されたトラックの表示要素の表示形態（Ｂｋ／Ｄｔ）を、要素データの存在を表わす矩形表示（Ｂｋ：Ｂｋ１，Ｂｋ５，…）にするか（Ｂ２，Ｂ５）、要素データの内容を表わす詳細表示（Ｄｔ：Ｄｔ１，Ｄｔ５，…）にするか（Ａ２，Ａ３，Ｂ４）が決定される。従って、この発明によれば、ユーザは、所望トラックについて詳細にデータを見たい場合は、このトラックの表示幅を拡げるだけで、トラック内の詳細表示で確認することができ、また、詳細を確認した後はトラック表示幅を縮めるだけで、矩形表示により、音楽データ全体を概略的に示す元の状態に戻すことができる。
【００１３】
さらに、この発明による音楽データ表示装置では（請求項３）、受け付けられた入力情報が表わす操作点の位置が複数のトラック（例えば、Ｔｒｋ１，Ｔｒｋ４：図３〔２〕）に対応している場合は（Ｓ５＝ＮＯ）、これらトラック（Ｔｒｋ１，Ｔｒｋ４）を両端に含む連続する複数のトラック（Ｔｒｋ１〜Ｔｒｋ４）が、制御すべきトラックに指定され（Ｓ７）、指定された複数のトラック（Ｔｒｋ１〜Ｔｒｋ４）それぞれについて表示幅（Ｗ）が算出される（Ｓ９）。従って、この発明によれば、隣り合って表示される複数のトラックを同時に表示制御の対象にすることができる。
【発明を実施するための最良の形態】
【００１４】
〔システム構成〕
図１は、この発明の一実施例による音楽データ表示システムのハードウエア構成例を示す。この音楽データ表示システムの例では、音楽データ表示装置には、シーケンサや電子楽器などのような音楽専用の情報処理装置（コンピュータ）が用いられるが、音楽データ処理機能を有するパーソナルコンピュータ等の汎用の情報処理装置（コンピュータ）を用いてもよい。この音楽データ表示装置は、中央処理装置（ＣＰＵ）１、ランダムアクセスメモリ（ＲＡＭ）２、読出専用メモリ（ＲＯＭ）３、外部記憶装置４、入力操作部５、表示部６、音源部７、通信インターフェース（通信Ｉ／Ｆ）８等の要素を備え、これら要素１〜８はバス９を介して互いに接続される。
【００１５】
装置全体を制御するＣＰＵ１は、ＲＡＭ２及びＲＯＭ３と共に、各種制御プログラムに従って各種処理を実行するデータ処理部を構成し、例えば、制御プログラムに含まれる音楽データ表示プログラムに従って音楽データ表示処理を実行することができる。ＲＡＭ２は、これらの処理で利用される種々の情報を一時的に記憶するための処理バッファとして機能する。ＲＯＭ３は、音楽データ表示プログラムを含む各種制御プログラムや必要な制御データ、音楽データ等を記憶しておくことができ、例えば、制御データには、操作量・表示幅変更量（ΔＷ）対応テーブルや初期表示幅データ（Ｗｏ）等が含まれる。
【００１６】
外部記憶装置４は、ハードディスク（ＨＤ）や、コンパクトディスク・リード・オンリィ・メモリ（ＣＤ−ＲＯＭ）、フレキシブルディスク（ＦＤ）、光磁気（ＭＯ）ディスク、ディジタル多目的ディスク（ＤＶＤ）、メモリカード等の記憶媒体を用いた記憶手段であり、任意の音楽データを記録することができる。また、音楽データ表示プログラムや制御データも、ＲＯＭ３だけでなく外部記憶装置４に記憶することができる。例えば、ＲＯＭ３に音楽データ表示プログラム等の制御プログラムや制御データが記憶されていない場合、ＨＤやＣＤ−ＲＯＭなどの外部記憶装置４に制御プログラムを記憶させておきそれをＲＡＭ２に読み込むことで、ＲＯＭ３に制御プログラムを記憶している場合と同様の動作をＣＰＵ１にさせることができ、制御プログラムの追加やバージョンアップ等を容易に行うことができる。また、音楽データ表示処理に用いられるプログラムや必要な制御データ等をインストールすることによって所望の音楽データ表示装置を実現することができる。
【００１７】
入力操作部５は、各種設定操作を行うためのパネル操作部及び鍵盤などの演奏操作子を含む演奏操作部を有し、パネル操作部でのユーザによるパネル操作や演奏操作部での演奏操作の内容を入力情報や演奏操作情報としてデータ処理部に導入する。表示部６は、これに接続されるディスプレイ（ＬＣＤ等の表示器）の表示内容をデータ処理部からの指令に従って制御し、入力操作部５の操作に対する表示援助を行う。また、表示部６のディスプレイ画面及び入力操作部５のパネル操作部は、多点タッチパネルＴＰとして機能し、パネル操作部として画面上に設けられた透明のシート状位置検出要素からの位置検出出力を処理することにより、複数の指やペンなどの操作体が画面上の任意の位置に同時に接触した場合にも各操作体の接触位置を個別に認識することができる。
【００１８】
音源部７は、音源（ソフトウエアを含む）や効果付与ＤＳＰを含み、入力操作部５の演奏操作部からの演奏操作情報に基づく演奏データや記憶手段３，４などの音楽データに対応する楽音信号を生成し、音源部７に接続されるサウンドシステム１０は、Ｄ／Ａ変換部やアンプ、スピーカを備え、音源部７からの楽音信号に基づく楽音を発生する。
【００１９】
通信Ｉ／Ｆ８は、ローカルエリアネットワーク（ＬＡＮ）やインターネット、電話回線などの一般用通信ネットワーク、或いは、ＭＩＤＩ用ネットワークに接続される各種インターフェースを一括して表わしており、サーバ等の他のコンピュータやＭＩＤＩ機器などの種々の外部機器５０と各種情報を授受することができる。例えば、この装置に制御プログラムやデータが記憶されていない場合、通信Ｉ／Ｆ８を介して他のコンピュータ５０から制御プログラム等をダウンロードすることができる。また、外部機器５０には、他の演奏データ入力装置（ＭＩＤＩ鍵盤など）や音楽データ出力装置などが含まれ、通信Ｉ／Ｆ８を介して、演奏データを含む音楽データを送受信することができる。
【００２０】
〔トラック画面とトラック表示の変更〕
この発明の一実施例による音楽データ表示システムでは、音楽データを構成する複数のトラック情報にそれぞれ対応した複数のトラックから成るトラック画面（ＴＳ）を多点タッチパネルＴＰ上に表示し、表示されたトラック画面に対し、ユーザが２本の指を接触させて開放操作或いは閉塞操作を行うと、接触を開始した当初位置に対応するトラックを表示制御の対象とし、制御対象トラックの表示幅を増大或いは減少させると共にその表示内容を増大或いは減少後の表示幅に合わせる。図２は、この発明の一実施例によるトラック画面の例を示し、図３は、この発明の一実施例によるトラック表示の変更例を示す。
【００２１】
音楽データは、複数（例えば、１６）のトラック情報で構成され、各トラック情報は、時間経過と共に現われる楽音波形や音符を表わす複数の要素データから成る。多点タッチパネルＴＰ上には、このような音楽データを表示するために、図２に示すように、これらトラック情報に対応して、複数のトラックＴｒｋ１，Ｔｒｋ２，…から成るトラック画面ＴＳが多点タッチパネルＴＰ上に表示され、各トラックＴｒｋ１；Ｔｒｋ２；…には、対応するトラック情報に含まれる要素データを表わす表示要素が、例えば、矩形ブロックＢｋ１，Ｂｋ４，…；Ｂｋ６，…；…で、その出現時間に対応して時系列的に配置され表示される。なお、以下において、記号「Ｔｒｋ」は各トラックを代表的に表わすのに用いられ、記号「Ｂｋ」は各矩形ブロックを代表的に表わすのに用いられる。
【００２２】
各トラックＴｒｋ：Ｔｒｋ１，Ｔｒｋ２，…の表示領域は、縦軸（垂直）方向に所定の表示幅Ｗを有し、音楽の進行に対応する横軸（水平）方向に所定時間分（例えば、３小節分）だけ延びており、各トラックの表示領域には、各トラック情報の要素データに対応する表示要素Ｂｋ：Ｂｋ１，Ｂｋ４，…；Ｂｋ６，…；…が要素データの出現タイミング順に表示される。図２のトラック画面ＴＳは、音楽データ表示処理の開始当初に表示される初期画面の例を示しており、初期画面では、各トラックの表示要素は、記号「Ｂｋ」で示すように、各トラックで何らかのデータが存在する時間域が矩形ブロックで表示される。つまり、当初のトラック画面ＴＳに表示される各トラックの表示幅Ｗは、ＲＯＭ３或いは記憶装置４に記憶されている初期表示幅データの値Ｗｏに設定され、各トラックＴｒｋ：Ｔｒｋ１；Ｔｒｋ２；…に配置される表示要素は、これに応じて、要素データの存在を示すだけの矩形ブロックＢｋ：Ｂｋ１，Ｂｋ４，…；Ｂｋ６，…；…で表示される。
【００２３】
このシステムでは、各トラックＴｒｋに配置される表示要素の表示形態は、トラック表示幅Ｗの大きさに応じて、上述した矩形ブロックＢｋ、或いは、図３で後述するような詳細表示データＤｔが採用される。ユーザが、初期画面を含む任意のトラック画面ＴＳに対し、２本の指などの複数の操作体を或るトラックに接触させ、その後、接触点が離反するように開いていく線引き操作（開放操作）を行うか、或いは、接触点が接近するように閉じていく線引き操作（閉塞操作）を行うと、システムは、最初に接触した位置（当初位置）に対応するトラックを表示制御の対象に指定すると共に、ＲＯＭ３或いは記憶装置４に記憶されている操作量・表示幅変更量（ΔＷ）対応テーブル及び初期表示幅データ（Ｗｏ）に基づき、線引き操作の方向及び量に応じて、制御対象に指定されたトラック（制御対象トラック或いは対象トラックという）Ｔｒｋの表示幅Ｗを調整し、対象トラックＴｒｋにおける表示要素の表示形態は、調整後のトラック表示幅Ｗに応じて矩形ブロックＢｋ或いは詳細表示データＤｔに決定し、詳細表示データＤｔについては更にトラック表示幅Ｗに応じて表示内容をも変化させる。つまり、線引き操作が開放方向であるか或いは閉塞方向であるかに応じて、対象トラックＴｒｋの表示幅Ｗを増大或いは減少させ、増大後或いは減少後の表示幅Ｗに合った表示形態（Ｂｋ／Ｄｔ）で対象トラックＴｒｋの表示要素を表示する。なお、図２及び図３のトラック画面ＴＳでは、第１〜第４トラックＴｒｋ１〜Ｔｒｋ４が表わす第１〜第４トラック情報はオーディオ形式の波形データであり、各トラック情報に基づく波形表示データに従って詳細表示データＤｔが表示される。
【００２４】
図３〔１〕は、１トラックの表示変更例を示し、例えば、図３〔１〕（ａ）に矢印で示すように、ユーザにより、第１トラックＴｒｋ１の表示領域上に２本の指が置かれ、トラック画面ＴＳ上で開く開放操作がなされると、最初に両指が置かれた第１トラックＴｒｋ１を表示制御の対象に指定し、記憶手段３，４に用意された操作量・表示幅変更量（ΔＷ）対応テーブルに従って、両指の接触開始点から最終的な接触点（接触移動停止点）までの縦軸方向距離〔両指の合計値又は平均値。両指操作方向（開放か閉塞か）を含む〕に対応する表示幅の値Ｗｂを求める。そして、制御対象に指定されたトラックＴｒｋ１の表示幅Ｗを、図３〔１〕（ｂ）のように、開放操作に応じて求めた値Ｗｂに拡大すると共に（Ｗｂ＞Ｗｏ）、対象トラックＴｒｋ１内に表示される表示要素については、拡大後の表示幅Ｗｂに応じて、矩形ブロックＢｋ１の表示を消し、これに代わる表示形態として、表示幅Ｗｂに対応する詳細表示データＤｔ１を表示する。さらに、図３〔１〕（ｂ）に矢印で示すように、再度、第１トラックＴｒｋ１に２本の指が置かれて開放操作がなされると、操作量・表示幅変更量（ΔＷ）対応テーブルに従って、この操作による最終的な接触点までの距離に対応する表示幅の値Ｗｃを求める。そして、図３〔１〕（ｃ），（ｄ）のように、対象トラックＴｒｋ１の表示幅Ｗｂを、この開放操作に応じて求めた値Ｗｃに更に拡大し（Ｗｃ＞Ｗｂ＞Ｗｏ）、このトラックＴｒｋ１における表示要素を表わす詳細表示データＤｔ１を、再拡大後の表示幅Ｗｃに応じた縦軸方向サイズを持つものに更新する。
【００２５】
また、図３〔１〕（ｃ）に矢印で示すように、ユーザにより、第１トラックＴｒｋ１に２本の指が置かれ、今までとは逆に、トラック画面ＴＳ上で閉じる閉塞操作がなされると、記憶手段３，４の操作量・表示幅変更量（ΔＷ）対応テーブルを用いて、この閉塞操作による最終的な接触点までの縦軸方向距離に対応する表示幅の値Ｗｅを求める。そして、図３〔１〕（ｅ）のように、対象トラックＴｒｋ１の表示幅Ｗｃを、この操作に応じて求めた値Ｗｅに縮小し（Ｗｅ＜Ｗｃ）、このトラックＴｒｋ１の表示要素Ｄｔも、縮小後の表示幅Ｗｅに応じた縦軸方向サイズをもつ詳細表示データＤｔ１に更新する。さらに、図３〔１〕（ｅ）矢印で示すように、再度、第１トラックＴｒｋ１に２本の指が置かれ閉塞操作が行われると、記憶手段３，４の操作量・表示幅変更量（ΔＷ）対応テーブル及び初期表示幅データ（Ｗｏ）に従って、この閉塞操作による最終的な接触点までの縦軸方向距離に対応する表示幅の値Ｗｏを求める。つまり、この場合、操作量・表示幅変更量（ΔＷ）対応テーブルから得られる表示幅の値は初期表示幅データの値Ｗｏより小さくなるが、採用される値はこの値Ｗｏで制限される。従って、図３〔１〕（ａ）のように、トラックＴｒｋ１の表示幅Ｗを初期表示幅Ｗｏに縮小すると共に（Ｗｏ＜Ｗｅ＜Ｗｃ）、このトラックＴｒｋ１における表示要素の表示形態は、トラック表示幅Ｗｅを元の値Ｗｏに戻したことで、詳細表示データＤｔ１の表示を消し、元の矩形ブロックＢｋ１に変更する。
【００２６】
なお、２本の指の開閉操作により対象トラックの表示が更新されるが、更新は２本の指の動きが止まったときでもよいし、動きが止まるまで例えば１秒毎などある時間毎に描画するようにしてもよい。
【００２７】
また、対象トラックＴｒｋの表示幅Ｗを拡げる開放操作により、表示要素の表示形態が矩形ブロックＢｋから詳細表示データＤｔに変更される場合、図３〔１〕（ａ）→（ｂ）の例では、詳細表示データＤｔの表示の基になる表示データを縦軸方向に縮小し、対象トラックＴｒｋ１の表示領域に縦軸方向の全域にわたって詳細表示データＤｔ１を表示するようにしているが、該表示データ中の表示可能な部分だけを詳細表示データＤｔとして表示するようにしてもよい（図示せず）。この場合、図２右端に示すスクロールボタンと同様に、対象トラックＴｒｋの表示領域の端にスクロールボタンを表示し、詳細表示データＤｔについて縦軸方向のスクロールができるようにしてもよい。
【００２８】
表示幅Ｗを拡げる開放操作の前に既に詳細表示データＤｔが表示されていた場合、図３〔１〕（ｂ）→（ｃ）の例では、開放操作により、全域にわたって表示されるように縦軸方向に拡大して詳細表示データＤｔ１を表示するようにしているが、同様に、表示可能な部分だけ表示するように更新してもよく、この場合も、表示領域の端に縦スクロールできるような表示があってもよい（図示せず）。また、この操作時点で縦軸方向に詳細表示データＤｔの全域が表示されている場合には、図３〔１〕（ｂ）→（ｄ）の例のように、詳細表示データＤｔ１のデータ表示部分の上下が余白Ｍｒになるように表示してもよい。
【００２９】
図３〔１〕（ｃ）→（ｅ），（ｅ）→（ａ）のように、対象トラックＴｒｋに詳細表示データＤｔが表示されていたときに閉塞操作がなされた場合、縮められた後の表示幅Ｗに応じて詳細表示データＤｔを表示するか或いは矩形ブロックＢｋの表示に変更するかを決定する。例えば、（ｃ）→（ｅ）のように、縮小後の表示幅Ｗｅが初期表示幅Ｗｏを超えている場合は、詳細表示データＤｔ１の表示を維持し、（ｅ）→（ａ）のように、縮小後の表示幅Ｗｅが初期表示幅Ｗｏになると矩形ブロックＢｋ１の表示に切り替える。なお、詳細表示データを表示する場合、（ｃ）→（ｅ）の例では、縦軸方向に縮められた対象トラックＴｒｋ１の表示領域に縦軸方向の全域にわたって詳細表示データＤｔ１を表示するように縮小しているが、前述のように、表示可能な部分のみ表示するようにしてもよく、この場合は同様に、対象トラック表示領域端に縦スクロール可能な表示があってもよい。
【００３０】
図３〔２〕は、複数トラックの表示変更例を示し、例えば、隣り合う複数（４つ）のトラックＴｒｋ１〜Ｔｒｋ４の表示幅Ｗを拡大したい場合には、図３〔２〕（ａ）に矢印で示すように、ユーザは、第１トラックＴｒｋ１の表示領域上及び第４トラックＴｒｋ４の表示領域上に夫々２本の指を置き、トラック画面ＴＳ上で開く開放操作を行えばよい。
【００３１】
この場合、システムは、最初に指が置かれた第１及び第４トラックＴｒｋ１，Ｔｒｋ４と両トラックＴｒｋ１，Ｔｒｋ４間の全トラックＴｒｋ２，Ｔｒｋ３を表示制御の対象に指定する。このトラック指定に当っては、例えば、両指を置いた２つのトラックとその間の全てのトラックの背景表示色を変えるようにすると、ユーザにとって現在の対象トラックが分かり易い。次いで、操作量・表示幅変更量（ΔＷ）対応テーブルに従って、この開放操作による両指の接触開始点から最終的な接触点（接触移動停止点）までの縦軸方向距離（両指の合計値又は平均値）に対応する表示幅の値Ｗｆを求める。そして、制御対象に指定された全トラックＴｒｋ１〜Ｔｒｋ４の表示幅Ｗを、図３〔２〕（ｂ）のように、この開放操作に応じて求めた値Ｗｆに拡大し（Ｗｆ＞Ｗｏ）、各対象トラックＴｒｋ１〜Ｔｒｋ４内に表示される表示要素については、拡大後の表示幅Ｗｆに応じて、矩形ブロックＢｋ１，Ｂｋ５，Ｂｋ１８の表示を消し、これに代わって、新たな表示幅Ｗｆに対応する詳細表示データＤｔ１，Ｄｔ５，Ｄｔ１８を表示する。
【００３２】
また、隣り合う複数のトラックＴｒｋの表示幅Ｗを縮小したい場合には、拡大の場合と同様に、これらトラックの最上段及び最下段トラックの表示領域上に夫々２本の指を置き、拡大の場合とは逆に、トラック画面ＴＳ上で閉じる閉塞操作を行えばよい。例えば、図３〔２〕（ｂ）に矢印で示すように、第３及び第４トラックＴｒｋ３，Ｔｒｋ４の表示領域上に夫々２本の指が置かれ、逆に、トラック画面ＴＳ上で閉じる閉塞操作がなされると、図３〔１〕（ｅ）→（ａ）の場合と同様に、操作量・表示幅変更量（ΔＷ）対応テーブル及び初期表示幅データ（Ｗｏ）に従って、この閉塞操作による接触開始点から最終的な接触点までの縦軸方向距離に対応する各トラック表示幅の値（初期表示幅）Ｗｏが求められる。そして、図３〔２〕（ｃ）のように、対象トラックＴｒｋ３，Ｔｒｋ４の表示幅Ｗｆが、この操作に応じて求めた初期表示幅Ｗｏに縮小され（Ｗｏ＜Ｗｆ）、これらトラックＴｒｋ３，Ｔｒｋ４における表示要素の表示形態については、トラック表示幅Ｗｆを初期表示幅Ｗｏに戻したことにより、詳細表示データＤｔ５，Ｄｔ１８の表示を消し、元の矩形ブロックＢｋ５，Ｂｋ１８に変更する。一方、対象トラックに指定されない第１及び第２トラックＴｒｋ１，Ｔｒｋ２については図３〔２〕（ｂ）の表示状態を維持する。
【００３３】
なお、開放及び閉塞操作に伴う各対象トラックにおける詳細表示データＤｔの表示及び更新態様については、図３〔１〕の１つのトラックの表示変更例での説明と同様である。
【００３４】
以上のように、この音楽データ表示システムでは、音楽データを構成する複数のトラック情報にそれぞれ対応した複数のトラックから成るトラック画面ＴＳを多点タッチパネルＴＰ上に表示し、トラック画面ＴＳ上で或るトラックＴｒｋ１が表示制御の対象に指示され２本の指を開く開放操作が行われると、対象トラックＴｒｋ１の表示領域を音楽進行方向（横軸方向）に垂直な幅方向（縦軸方向）に増大し、対象トラックＴｒｋ１に表示される音楽データの表示形態を増大後の表示領域幅Ｗに合うように制御し、所定の幅方向サイズをもつ詳細表示データＤｔ１とする（図３〔１〕ａ→ｂ→ｃ，ｄ）。逆に、２本の指を閉じる閉塞操作が行われると、対象トラックＴｒｋ１の表示領域を幅方向に減少し、対象トラックＴｒｋ１の表示形態を減少後の表示領域幅Ｗに合うように制御し、所定の幅方向サイズをもつ詳細表示データＤｔ１（ｃ→ｅ）或いは矩形ブロックＢｋ１（ｅ→ａ）とする。また、連続する複数のトラックが表示制御の対象に指示され開放操作或いは閉塞操作が行われた場合にも（図３〔２〕）、同様に、指定された複数のトラックについて表示幅Ｗを算出し、算出された表示幅Ｗに応じてこれらトラックの表示形態（Ｂｋ／Ｄｔ）を制御する。
【００３５】
〔音楽データ表示の動作フロー例〕
図４及び図５は、この発明の一実施例による音楽データ表示処理による動作例を表わすフローチャートであり、音楽データには、複数のトラック情報から成る楽曲データが用いられる。各種処理モードの待機状態において、音楽データ表示処理モードへの移行指示操作があると、この音楽データ表示処理がスタートし、ユーザによる音楽データの指定操作があると、ＣＰＵ１は、まず、ステップＳ１で、楽曲指定操作により処理対象に指定された音楽データのトラック情報に基づいて、図２に示すようなトラック画面ＴＳを多点タッチパネルＴＰ上に表示し、多点タッチパネルＴＰに対するユーザ操作を待機する。
【００３６】
多点タッチパネルＴＰのトラック画面ＴＳに対するユーザ操作があると、ステップＳ２に進んで、多点タッチパネルＴＰへの入力情報を受け付けて、次のステップＳ３で、入力情報に、トラック画面ＴＳ上の２点に指が接触したことを表わす接触開始情報があること、つまり、接触開始情報に基づき２点を対象トラックを決定するためのポイントに指定する「２点のポイント指定」を検出したか否かを判定する。ここで、２点のポイント指定を検出すると（Ｓ３＝ＹＥＳ）、ステップＳ４に進み、検出した２点それぞれのポイントが属するトラックＴｒｋを抽出する。ここで、もし、２点のうち上側のポイントがトラック表示領域の境界線上に位置する場合は、このポイントの下側に隣接するトラックを抽出し、もし、２点のうち下側のポイントがトラック表示領域の境界線上に位置する場合、上側に隣接するトラックを抽出する。
【００３７】
ステップＳ４のトラック抽出処理の後は、ステップＳ５で、ステップＳ４で抽出した２つのトラックは同一のトラックであるか否かを判定する。ここで、同一のトラックであるときは（Ｓ５＝ＹＥＳ）、ステップＳ６で、抽出された同一の１トラックを表示制御の対象トラックに設定し、異なるトラックであるときは（Ｓ５＝ＮＯ）、ステップＳ７で、抽出された２つのトラック及びこれらトラックの間にある全てのトラックを表示制御の対象トラックに設定する。
【００３８】
ステップＳ３で２点のポイント指定を検出しないとき（Ｓ３＝ＮＯ）、或いは、ステップＳ６又はステップＳ７の対象トラック設定処理を行った後は、ステップＳ８で、入力情報に、２本の指による相反する方向への線引き操作を表わす線引き操作情報があること、つまり、線引き操作情報に基づきトラック表示幅Ｗを算出すべきことを指定する「表示幅指定」を検出したか否かを判定する。ここで、線引き操作に基づく表示幅指定を検出すると（Ｓ８＝ＹＥＳ）、ステップＳ９〜Ｓ１３のトラック表示制御処理を順次行う。
【００３９】
まず、ステップＳ９では、操作量・表示幅変更量（ΔＷ）対応テーブル及び初期表示幅データ（Ｗｏ）に従い、線引き操作情報が示す線引き操作の方向及び量に対応する各対象トラックの表示幅Ｗを算出し、次のステップＳ１０で、全ての対象トラックが、算出された表示幅（縦軸方向）でトラック画面に表示されるようにトラック画面を表示更新する。さらに、ステップＳ１１では、線引き操作情報が示す２本の指による線引き操作がトラック表示幅Ｗを増大する方向を示しているか否かを判定する。そして、線引き操作が増大方向を示しているときは（Ｓ１１＝ＹＥＳ）、ステップＳ１２で、図５（１）に示す「表示幅増大操作時のデータ表示更新処理」を行い、減少方向を示しているときには（Ｓ１１＝ＮＯ）、ステップＳ１３で、図５（２）に示す「表示幅減少操作時のデータ表示更新処理」を行う。
【００４０】
ステップＳ８で、２本の指による相反する方向への線引き操作を表わす線引き操作情報が入力情報から検出されないとき（Ｓ８＝ＮＯ）、或いは、ステップＳ１２，Ｓ１３の何れかでデータ表示更新処理を行った後は、ステップＳ１４に進み、少なくとも１本の指が離れたか否かを判定する。ここで、指が離れないときは（Ｓ１４＝ＮＯ）、トラック画面ＴＳに対するユーザ操作を待機し、新たなユーザ操作があると、ステップＳ２に進んで、ステップＳ２〜Ｓ１４の処理を繰り返す。また、少なくとも１本の指が離れたときは（Ｓ１４＝ＹＥＳ）、トラック表示幅調整のための一連の操作が終わったと見做して、対象トラックの設定をクリアした上トラック画面ＴＳに対するユーザ操作を待機し、新たなユーザ操作があると、ステップＳ２に進んで、ステップＳ２〜Ｓ１４の処理を繰り返す。なお、音楽データ表示処理モードの終了指示操作があると、この音楽データ表示処理を終了し、この電子音楽装置は元の待機状態に戻る。
【００４１】
図５は、音楽データ表示処理（図４）のステップＳ１２，Ｓ１３で行われる表示幅増大操作時及び表示幅減少操作時のデータ表示更新処理の一例を表わすフローチャートである。このデータ表示更新処理は、全対象トラックＴｒｋ分だけ実行され、各対象トラックＴｒｋ内における表示要素の表示形態について、算出された表示幅Ｗに合うように調整し、表示更新を行う。例えば、トラックに対する初期表示幅Ｗｏを１ｃｍとし、トラック表示幅Ｗ＝Ｗｏのときは矩形ブロックＢｋを表示し、トラック表示幅Ｗ＞Ｗｏのときには波形や楽譜などの音楽データを表示する。図５（１）の表示幅増大操作時のデータ表示更新処理では、算出されたトラック表示幅Ｗに応じて、矩形ブロックＢｋから詳細表示データＤｔに表示形態を変更するか、もしくは、縮小された詳細表示データＤｔから、更新後の表示幅Ｗに合うように縦軸方向に拡大された詳細表示データＤｔに表示形態を変更する。
【００４２】
具体的には、第１ステップＡ１で、現在、矩形ブロックＢｋを表示しているか否かを判定し、矩形ブロックＢｋの表示中のときには（Ａ１＝ＹＥＳ）、ステップＡ２で、表示要素の表示形態を詳細表示データＤｔに変更し、更新された表示幅Ｗに収まるように詳細表示データＤｔを調整して対象トラックＴｒｋ内に表示する。一方、詳細表示データＤｔの表示中のときは（Ａ１＝ＮＯ）、ステップＡ３に進んで、詳細表示データＤｔの表示状態を維持し、更新された表示幅Ｗに収まるように詳細表示データＤｔを縦軸方向に拡大して対象トラックＴｒｋ内に表示する。そして、ステップＡ２，Ａ３の処理後は、音楽データ表示処理のステップＳ１４（図４）にリターンする。
【００４３】
図５（２）の表示幅減少操作時のデータ表示更新処理では、算出されたトラック表示幅Ｗに応じて縮小すれば詳細表示データＤｔが表示可能であると判断した場合は、現在の詳細表示データＤｔを縦軸方向に縮小して表示し、算出されたトラック表示幅Ｗでは現在の詳細表示データＤｔをこれ以上縮小することができず詳細表示データＤｔの表示が不可能であると判断した場合、すなわち、算出されたトラック表示幅Ｗが初期表示幅Ｗｏの場合には、詳細表示データＤｔから矩形ブロックＢｋに表示形態を替える。
【００４４】
具体的には、第１ステップＢ１で、現在、詳細表示データＤｔを表示しているか否かを判定し、矩形ブロックＢｋの表示中のときは（Ｂ１＝ＮＯ）、ステップＢ２に進んで、矩形ブロックＢｋの表示状態を維持することを決定する。一方、詳細表示データＤｔの表示中のときは（Ｂ１＝ＹＥＳ）、ステップＢ３にて、ステップＳ１０で更新された表示幅Ｗで詳細表示データＤｔの表示が可能か否かを判定する。ここで、更新された表示幅Ｗで詳細表示データＤｔを表示することができると判定したときは（Ｂ３＝ＹＥＳ）、ステップＢ４で、詳細表示データＤｔの表示形態を維持し、更新された表示幅Ｗに収まるように詳細表示データＤｔを縦軸方向に縮小して対象トラックＴｒｋ内に表示し、更新された表示幅Ｗで詳細表示データＤｔを表示することができないときには（Ｂ３＝ＮＯ）、要素データの表示形態を矩形ブロックＢｋに変更する。そして、ステップＢ２，Ｂ４，Ｂ５の処理後、音楽データ表示処理のステップＳ１４（図４）にリターンする。
【００４５】
〔種々の実施態様〕
以上、この発明の好適な一実施例について説明したが、これは単なる一例であって、この発明は、発明の精神を逸脱しない範囲で種々の変更が可能であり、種々の態様で実施することができる。例えば、実施例では、初期表示幅データによる初期表示幅Ｗｏが最小表示幅制限情報として扱われ、トラック表示幅が初期表示幅Ｗｏより小さくなることはないが、閉塞操作に応じてトラック表示幅を初期表示幅Ｗｏより小さくなるようにしてもよい。この場合、矩形ブロックＢｋは、表示幅の縮小に合わせて、（殆ど線状になるまで）縦軸方向に縮小した形態としてもよいし、縮小せずに表示可能な部分のみ表示してもよい。
【００４６】
２本の指の接触開始点指定操作により複数のトラックが表示制御の対象トラックに設定された場合、実施例では、各指の移動距離に対応して、全対象トラックの夫々の表示幅を求めたが、２本の指の開閉操作で、複数の全対象トラック分の表示幅を決定し、決定した全対象トラック分の表示幅を対象トラック数で均等割りにして各トラック毎に新たな表示幅を算出するようにしてもよい。この場合、均等割りではなく対象トラックの表示幅の割合（２：１：２など）を保つように指定された表示幅を分けるようにしてもよい。
【００４７】
トラック内に表示される詳細表示データＤｔについては、実施例では、音楽データが波形データの場合について説明したが、音符データ列や音楽制御イベント列などの場合がある。音符データ列などの場合は、楽譜形式やリスト形式などの表示形態で表示してもよい。詳細表示データＤｔがリスト形式の場合、表示可能な部分だけトラックに表示しトラックの右端に縦軸方向のスクロールバーを表示しておけばよい。音符データのように複数の表示形態が存在する場合は、表示形態の表示優先度をシステム内で予め決めておいてもよいし、ユーザ設定ができるようにしてもよい。また、トラックによっては、例えば音符データであっても異なる表示形式で表示されるようにしてもよい。
【００４８】
実施例では斜め方向操作の例を示したが、縦軸方向のみの操作によりトラック表示幅を変化することができる。要は、両指の開閉操作情報から縦軸方向の操作量成分を検出することができればよい。また、実施例では、縦軸方向の操作量を求めるのに、個々の指の縦軸方向移動距離を加算したが、移動後の２本の指の縦軸方向距離を用いてもよい。さらに、２本の指での開閉操作でトラック表示幅Ｗを調整する際、例えば、対象トラックが画面の一番上（下）に表示されている場合などのように、トラック画面におけるトラック位置の条件によっては、一方の指を固定し、他方の指のみの移動に応じて操作量を伸縮することもあり得る。
【００４９】
また、トラック表示幅Ｗの変更により、トラック画面ＴＳ内に表示されるトラック数が増減することがある。更に、トラック毎に個々に初期（最小）表示幅Ｗｏの設定を可能とし、どのくらいの幅で矩形表示にするか、トラックに表示する音楽データの種類に応じて異なる値に設定するようにしてもよいし、ユーザが設定できるようになっていてもよい。
【図面の簡単な説明】
【００５０】
【図１】この発明の一実施例による音楽データ表示システムが構築される電子音楽装置のハードウエア構成例を示すブロック図である。
【図２】この発明の一実施例によるトラック画面の例を示す。
【図３】この発明の一実施例によるトラック表示の変更例を示す。
【図４】この発明の一実施例による音楽データ表示処理の動作例を表わすフローチャートである。
【図５】この発明の一実施例による音楽データ表示処理における対象トラックのデータ表示更新処理例を表わすフローチャートである。
【符号の説明】
【００５１】
ＴＳ  多点タッチパネルＴＰ上に表示されるトラック画面、
Ｔｒｋ：Ｔｒｋ１，Ｔｒｋ２，…  トラック、
Ｗ：Ｗｏ，Ｗｂ，…  トラックの表示幅、
Ｂｋ：Ｂｋ１，Ｂｋ５，…  矩形ブロック（音楽データの存在を表わす表示要素）、
Ｄｔ：Ｄｔ１，Ｄｔ５，…  詳細表示データ（音楽データの内容を表わす表示要素）。
【図１】
2010066532.tif 000003
【図２】
2010066532.tif 000004
【図３】
2010066532.tif 000005
【図４】
2010066532.tif 000006
【図５】
2010066532.tif 000007